(57)【要約】【課題】  吊線や電線本線に引込線が接触又は衝突することを簡単な構成で抑えて、引込線の曲げや折れ、被覆の剥がれを低減することができる分線金物を提供すること。【解決手段】  分線金物１は、引留具１２Ａが接続されて、吊線３及び通信ケーブル７に沿って、かつ、吊線３及び通信ケーブル７からそれぞれ離間して引込線１１を支持する係留部１３と、吊線３を挟んでこれを挟持する取付部１５と、係留部１３が配されて吊線３に沿う第一側面１６ａと、吊線３と直交する第二側面１６ｂと、取付部１５を挟んで第二側面１６ｂと対向する第三側面１６ｃと有して、取付部１５の外周面に密着して立設された断面略コ字状の支持部１６とを備えている。【選択図】  図２
2007089351.tif 000002
【特許請求の範囲】
【請求項１】
電柱間に架空された吊線に沿って支持された電線本線から分岐された引込線の途中を、前記引込線に配された引留具を介して前記吊線に支持する分線金物であって、
前記引留具が接続されて、前記吊線及び前記電線本線に沿って、かつ、前記吊線及び前記電線本線からそれぞれ離間して前記引込線を支持する係留部を備えていることを特徴とする分線金物。
【請求項２】
前記吊線を挟んでこれを挟持する取付部を備え、  
該取付部が前記吊線に取り付けられた際に、前記係留部が、前記取付部よりも高所側となる位置に配されていることを特徴とする請求項１に記載の分線金物。
【請求項３】
前記係留部が配されて前記吊線に沿う第一側面と、前記吊線と略直交する第二側面とを少なくとも有して、前記取付部を囲んで立設された支持部を備えていることを特徴とする請求項２に記載の分線金物。
【請求項４】
前記第一側面に、前記吊線と係合される切り欠き部が配されていることを特徴とする請求項３に記載の分線金物。
【請求項５】
前記支持部が、前記取付部の外周面に係合して着脱可能に配されることを特徴とする請求項３又は４に記載の分線金物。
【発明の詳細な説明】
【技術分野】
【０００１】
本発明は、分線金物に関する。
【背景技術】
【０００２】
電柱に架設された電線本線となる通信ケーブルから、例えば、接続端子函により分岐した家屋への引込線を最短距離で引込む際、通信ケーブルを支持する吊線に分線金物を取り付けて、分線金物に通信ケーブルを掛止する方法が一般に行われている。この分線金物は、吊線を挟持する一対の挟持部を有する取付部と、取付部を貫通して配されて一対の挟持部を介してナット部とともに吊線を締め付け、かつ、引込線に配された引留具を掛止するフック部とを備えている（例えば、特許文献１参照。）。
【０００３】
この分線金物によって支持線と心線とからなる引込線を支持する場合、まず、一対の挟持部間に吊線を挟んだ状態でフック部を一対の挟持部に挿通し、ナット部を締め付けて吊線に固定する。そして、電柱と分線金物との間で引込線を架空し、かつ、分線金物から家屋の方向に引込線を誘導するために、互いに所定の距離に離間して引込線の支持線に配された二つの引留具をそれぞれフック部に掛止する。こうして、引込線の心線を折り曲げないようにして家屋の方向に引込線を方向転換させて配線する。  
【０００４】
しかしながら、上記従来の分線金物の場合、フック部にて二つの引留具を掛止させているので、風等によって引込線が振動した場合、フック部に沿って引留具が移動してしまい吊線と引留具との距離が変動する。そのため、引留具がフック部の根元側となる取付部側に移動した場合、通信ケーブルに沿って配された引込線が、吊線に配されたケーブルリング又は通信ケーブルと接触又は衝突して、引込線が切れてしまう場合がある。特に、被覆が薄い光ファイバケーブルの場合、少しの接触によっても被覆が破れてしまう場合がある。
【特許文献１】特開平１１−１５０８４７号公報（第４図、第５図）
【発明の開示】
【発明が解決しようとする課題】
【０００５】
本発明は上記事情に鑑みて成されたものであり、吊線や電線本線に引込線が接触又は衝突することを簡単な構成で抑えて、引込線の曲げや折れ、被覆の剥がれを低減することができる分線金物を提供することを目的とする。
【課題を解決するための手段】
【０００６】
本発明は、上記課題を解決するため、以下の手段を採用する。
本発明に係る分線金物は、電柱間に架空された吊線に沿って支持された電線本線から分岐された引込線の途中を、前記引込線に配された引留具を介して前記吊線に支持する分線金物であって、前記引留具が接続されて、前記吊線及び前記電線本線に沿って、かつ、前記吊線及び前記電線本線からそれぞれ離間して前記引込線を支持する係留部を備えていることを特徴とする。
【０００７】
この分線金物は、引込線と吊線及び電線本線との間が離れているので、引込線が風等の影響によって揺れてしまっても、吊線や電線本線との衝突を低減することができる。また、複数の引込線を吊線に沿って配する際、吊線に対する分線金物の取り付け角度を各引込線でそれぞれ変えることによって、吊線に対する引込線の支持方向又は吊線との間隔を異ならせることができる。従って、引込線同士の互いの接触を好適に抑えることができる。
【０００８】
また、本発明に係る分線金物は、請求項１に係る分線金物であって、前記吊線を挟んでこれを挟持する取付部を備え、該取付部が前記吊線に取り付けられた際に、前記係留部が、前記取付部よりも高所側となる位置に配されていることを特徴とする。
この分線金物は、引込線の高さを電線本線の高さよりも所定の高さに離間して配線することができ、電線の地上からの法定高さを維持し、かつ、引込線が吊線や電線本線と接触するのを好適に抑えることができる。
【０００９】
また、本発明に係る分線金物は、請求項２に係る分線金物であって、前記係留部が配されて前記吊線に沿う第一側面と、前記吊線と略直交する第二側面とを少なくとも有して、前記取付部を囲んで立設された支持部を備えていることを特徴とする。
この分線金物は、引込線を係留部に支持させた際、引込線の張力による支持部の変形を抑えて、引込線のたるみを抑えることができ、吊線等との接触をより低減することができる。
【００１０】
また、本発明に係る分線金物は、請求項３に係る分線金物であって、前記第一側面に、前記吊線と係合される切り欠き部が配されていることを特徴とする。
この分線金物によれば、引込線の張力によって支持部が取付部に対して傾斜しようとしても、切り欠き部における吊線との係合によって取付部に対する支持部の相対配置を維持することができる。従って、引込線の脱落を抑え、分線金物の吊線への固定をより強固なものにすることができる。
【００１１】
また、本発明に係る分線金物は、請求項３又は４に係る分線金物であって、前記支持部が、前記取付部の外周面に係合して着脱可能に配されることを特徴とする。
この分線金物は、取付部のみが既に吊線に配されている状態でも、取付部に支持部を係合し、後から係留部を取り付けることができる。
【発明の効果】
【００１２】
本発明によれば、吊線や電線本線に引込線が接触又は衝突することによる引込線の曲げや折れ、被覆の剥がれを抑えることができる。
【発明を実施するための最良の形態】
【００１３】
本発明に係る一実施形態について、図１から図５を参照して説明する。
本実施形態に係る分線金物１は、図１及び図２に示すように、電柱２間に架空された吊線３に沿って配され、リング５を介して吊線３に支持された通信ケーブル（電線本線）７から、接続端子函８を介して分岐された家屋１０用の引込線１１の途中を、引込線１１に配された二つの引留具１２Ａ、１２Ｂを介して吊線３に支持する分線金物であって、引留具１２Ａが接続されて、吊線３及び通信ケーブル７に沿って、かつ、吊線３及び通信ケーブル７からそれぞれ離間して引込線１１を支持する係留部１３と、吊線３を挟んでこれを挟持する取付部１５と、係留部１３が配されて吊線３に沿う第一側面１６ａと、吊線３と直交する第二側面１６ｂと、取付部１５を挟んで第二側面１６ｂと対向する第三側面１６ｃと有して、取付部１５の外周面に密着して立設された断面略コ字状の支持部１６とを備えている。なお、吊線３及び通信ケーブル７は、図３及び図４に示すように、一体に形成されたＳＳ（Self-supporting）ケーブルとしても構わない。
【００１４】
係留部１３は、引留具１２Ａ，１２Ｂがそれぞれ有する円環状部１２Ｃを掛止するために孔状に形成されており、吊線３に対して遠位側となる支持部１６の第一側面１６ａに配されている。即ち、取付部１５が吊線３に取り付けられた際に、係留部１３が、取付部１５よりも高所側となる位置に配されている。なお、孔形状は、円形状や楕円形状、多角形状でも構わない。
【００１５】
取付部１５は、吊線３を挟んで対向する一対の挟持部１７Ａ，１７Ｂと、引留具１２Ａ，１２Ｂの円環状部１２Ｃを掛止可能なフック部１８とを備えている。
取付部１５に係る一対の挟持部１７Ａ，１７Ｂの各対向面には、吊線３の外径と略同一の略半円形状に形成された凹部１７ａが配されている。一対の挟持部１７Ａ，１７Ｂの対向する面以外の外周面には、吊線３に装着した際に吊線３に沿う平面１７ｂと、吊線３と直交する二つの平面１７ｃ，１７ｄとが形成されている。
一対の挟持部１７Ａ，１７Ｂには、引留具１２Ａ，１２Ｂが有する円環状部１２Ｃを一端側から掛止可能なフック部１８を貫通可能とする不図示の貫通孔が配されている。
【００１６】
フック部１８の他端側には上記貫通孔よりも大径のワッシャ部１８Ａが接続されており、ワッシャ部１８Ａよりもさらに先端側の表面には、おねじ部１８Ｂが形成されてナット部１８Ｃが螺合される。
フック部１８は、平面視した際、吊線３と直交する方向に沿って延びるように取付部１５に装着されている。
【００１７】
支持部１６の各側面１６ａ，１６ｂ，１６ｃは、何れも平板状に形成されている。
吊線３に対して遠位側となる第一側面１６ａの端部には、引留具１２Ａ，１２Ｂの円環状部１２Ｃが挿通可能な幅を有して係留部１３と連通するスリット１６ｄが形成されている。また、取付部１５に対して近位側となる第一側面１６ａの端部には、挟持部１７Ｂから外方へ突出したフック部１８のおねじ部１８Ｂが、径方向から挿入されて係合される溝１６ｅが配されている。
第二側面１６ｂ及び第三側面１６ｃには、吊線３と係合される切り欠き部１６ｆがそれぞれ配されている。なお、各側面の隅部は何れも面取りがなされている。
【００１８】
次に、本実施形態に係る分線金物１の使用方法、及び作用・効果について説明する。
まず、家屋１０までの距離が最短となる吊線３の所定の位置に、分線金物１を装着する。
即ち、一対の挟持部１７Ａ，１７Ｂの凹部１７ａ内に吊線３を挿入して吊線３を挟んだ状態で、おねじ部１８Ｂを挟持部１７Ａ側から挿通して挟持部１７Ｂ側から突出させた後、ナット部１８Ｃを螺合してワッシャ部１８Ａとナット部１８Ｃとの間で吊線３を締め付ける。この際、挟持部１７Ｂとナット部１８Ｃとの間のおねじ部１８Ｂに、支持部１６の第一側面１６ａに形成された溝１６ｅを挿入して支持部１６と取付部１５とを接続固定する。このとき、係留部１３が、吊線３から所定の高さに離間した位置に配される。
【００１９】
そして、接続端子函８から所定の長さに分岐され、電柱２を経由して吊線３に沿って延びる引込線１１を分線金物１に取り付ける。
ここで、通常、引込線１１は、心線部２０と支持線部２１とを備えているので、分線金物１の近傍にて支持線部２１を引留具１２Ａに巻回する。そして、引込線１１に所定の張力を付与するように引留具１２Ａに支持線部２１を巻回し、引留具１２Ａの円環状部１２Ｃを支持部１６のスリット１６ｄに挿通して係留部１３に挿入して掛止する。
【００２０】
続いて、引留具１２Ａから所定の距離に離間した支持線部２１に別の引留具１２Ｂを装着して、円環状部１２Ｃをフック部１８に掛止する。
こうして、引込線１１が、吊線３に対して所定の高さで離間して吊線３と略平行に配される一方、フック部１８から吊線３の高さよりも下方の家屋１０に向かって配される。
【００２１】
この分線金物１によれば、引込線１１と吊線３及び通信ケーブル７との間が所定の間隔で離れているので、引込線１１が風等の影響によって揺れてしまっても、吊線３や通信ケーブル７との衝突を低減することができる。また、図５に示すように、他の家屋への引込み用となる複数の引込線２２，２３，２５を吊線３に沿って配する際、吊線３に対して支持部１６の地上に対する取付角度が各引込線１１でそれぞれ異なるように、分線金物１の取り付け角度を各引込線１１でそれぞれ変えることができる。
従って、引込線１１同士の互いの接触を好適に抑えることができ、吊線３や通信ケーブル７との接触又は衝突と同様、各引込線１１の曲げや折れ、被覆の剥がれを抑えることができる。
【００２２】
この際、通信ケーブル７の配線については、地上からの所定の法定高さを維持する必要があるが、引込線１１の高さを通信ケーブル７の高さよりも所定の高さに離間して配線することができ、電線の地上からの法定高さを維持し、かつ、引込線１１が吊線３や通信ケーブル７と接触するのを好適に抑えることができる。
【００２３】
また、係留部１３が、支持部１６の吊線３に沿って配された第一側面１６ａに配されているので、吊線３方向となる引込線１１の張力に対して、支持部１６の剛性を確保することができる。従って、引込線１１のたるみを抑えて、引込線１１が吊線３等に接触するのを好適に抑えることができる。この際、支持部１６が断面略コ字状に形成されて取付部１５の外周面に密着しているので、第二側面１６ｂ及び第三側面１６ｃによって、さらに支持部１６の剛性を高めることができる。
【００２４】
また、第二側面１６ｂ及び第三側面１６ｃには、吊線３と係合可能な切り欠き部１６ｆが配されているので、引込線１１の張力によって支持部１６が取付部１５に対して傾斜しようとしても、切り欠き部１６ｆにおいて吊線３と係合して、取付部１５に対する支持部１６の相対配置を維持することができる。従って、引込線１１の脱落を抑え、分線金物１の吊線３への固定を強固なものにすることができる。
また、支持部１６の第一側面１６ａに溝１６ｅが形成されているので、取付部１５に対して支持部１６を着脱可能にすることができる。従って、取付部１５のみを先に吊線３に装着した後で、支持部１６のみを取り付けることができる。
【００２５】
なお、本発明の技術範囲は上記実施の形態に限定されるものではなく、本発明の趣旨を逸脱しない範囲において種々の変更を加えることが可能である。例えば、電線本線は通信ケーブルに限定されるものではなく、電力用のケーブル等、ケーブル状のものであればよい。
【００２６】
（付記項１）
前記吊線に沿って前記取付部の外周面に密着して立設される第一側面と、
前記吊線と直交して、前記取付部の外周面に密着して立設される第二側面と、
前記吊線と直交して、前記取付部を挟んで前記第二側面の反対側となる前記取付部の外周面に密着して立設される第三側面とを有する断面略コ字状の支持部を備え、
前記係留部が、前記引留具が掛止可能な孔状に形成されて前記吊線に対して遠位側となる前記第一側面に配され、
前記第二側面及び前記第三側面に、前記吊線と係合される切り欠き部がそれぞれ配されていることを特徴とする請求項２に記載の分線金物。
【００２７】
（付記項２）
前記取付部が、前記吊線を挟んで対向する一対の挟持部と、前記引留具を掛止可能なフック部とを備え、
前記取付部に対して近位側となる前記第一側面の端部に、フック部が挿入されて係合可能な溝が配されていることを特徴とする付記項１に記載の分線金物。
【００２８】
（付記項３）
前記吊線に対して遠位側となる前記第一側面の端部に、前記係留部と前記第一側面の周端部とを連通するスリットが形成されていることを特徴とする付記項１又は２に記載の分線金物。
【図面の簡単な説明】
【００２９】
【図１】本発明の一実施形態に係る分線金物を使用して家屋に引込線を引込んだ状態を示す概要図である。
【図２】本発明の一実施形態に係る分線金物を吊線に取り付けて引込線を敷設した状態を示す斜視図である。
【図３】本発明の一実施形態に係る分線金物をＳＳケーブルに取り付けた状態を示す斜視図である。
【図４】本発明の一実施形態に係る分線金物をＳＳケーブルに取り付けた状態を示す斜視図である。
【図５】本発明の一実施形態に係る分線金物を吊線に取り付けて複数の引込線を敷設した状態を示す斜視図である。
【符号の説明】
【００３０】
１  分線金物
１１，２２，２３，２５  引込線
１３  係留部
１５  取付部
１６  支持部
１６ａ  第一側面
１６ｂ  第二側面
１６ｃ  第三側面
１６ｅ  溝
１６ｆ  切り欠き部
【図１】
2007089351.tif 000003
【図２】
2007089351.tif 000004
【図３】
2007089351.tif 000005
【図４】
2007089351.tif 000006
【図５】
2007089351.tif 000007